(57)【特許請求の範囲】
【請求項１】
絶縁操作棒の先端にこれに交差する向きでヘッドフレームが支持され、前記ヘッドフレームの前部には変圧器から突設されているカットアウトのブッシングの先端部でこれに交差する下向きで設けられている複数の爪孔に挿入するための複数本の結合爪が下向きに設けられ、前記ヘッドフレームにはこれをガイドとしてスライダーが摺動自在に支持され、前記スライダーには前記カットアウトのヒューズリンクにこれに交差する下向きで設けられている複数の爪孔に挿入するための複数本の操作爪が下向きに設けられ、前記ヘッドフレームの下部には前記ヒューズリンクを支えるヒューズリンク支え体が前記結合爪と前記操作爪の挿入時に障害とならない位置に設けられ、前記スライダーには該スライダーを前進方向に移動させる前進操作ワイヤーと該スライダーを後退方向に移動させる後退操作ワイヤーとが連結され、前記前進操作ワイヤーは前記ヘッドフレームの前部の滑車を経て前記絶縁操作棒に沿って操作できるように添わされ、前記後退操作ワイヤーは前記ヘッドフレームの後部の滑車を経て前記絶縁操作棒に沿って操作できるように添わされていることを特徴とするカットアウト操作工具。
【請求項２】
変圧器には、その側面からブッシングが突設され、該ブッシングの先端部にはこれに交差する下向きに複数の爪孔が設けられ、前記ブッシングの先端部からその内部にヒューズリンクがその基部を前記ブッシングの外に露出させるようにして差し込まれてセットされ、前記ブッシングの外に露出しているヒューズリンクにはこれに交差する下向きに複数の爪孔が設けられているカットアウトが突設されており、
該カットアウトを電柱上で操作するカットアウト操作工具として、絶縁操作棒の先端にこれに交差する向きでヘッドフレームが支持され、前記ヘッドフレームの前部には前記カットアウトの前記ブッシングの先端部でこれに交差する下向きで設けられている複数の前記爪孔に挿入するための複数本の結合爪が下向きに設けられ、前記ヘッドフレームにはこれをガイドとしてスライダーが摺動自在に支持され、前記スライダーには前記カットアウトの前記ヒューズリンクにこれに交差する下向きで設けられている複数の爪孔に挿入するための複数本の操作爪が下向きに設けられ、前記ヘッドフレームの下部には前記ヒューズリンクを支えるヒューズリンク支え体が前記結合爪と前記操作爪の挿入時に障害とならない位置に設けられ、前記スライダーには該スライダーを前進方向に移動させる前進操作ワイヤーと該スライダーを後退方向に移動させる後退操作ワイヤーとが連結され、前記前進操作ワイヤーは前記ヘッドフレームの前部の滑車を経て前記絶縁操作棒に沿って操作できるように添わされ、前記後退操作ワイヤーは前記ヘッドフレームの後部の滑車を経て前記絶縁操作棒に沿って操作できるように添わされている構造のものを用い、
前記電柱上で前記カットアウト操作工具の前記各結合爪を前記ブッシングの前記各爪孔に挿入して前記ヘッドフレームを前記ブッシングに連結し、
前記スライダーを前記ヘッドフレームの前部側に位置させた状態で前記各操作爪を前記ヒューズリンクに設けられている複数の前記爪孔に挿入し、
かかる状態で前記後退操作ワイヤーを牽引して前記スライダーを後退させることにより前記各操作爪を介して前記ヒューズリンクを前記ブッシングから引き抜いて前記ヒューズリンク支え体で支えることを特徴とするカットアウト操作工具の操作方法。
【請求項３】
変圧器には、その側面からブッシングが突設され、該ブッシングの先端部にはこれに交差する下向きに複数の爪孔が設けられ、前記ブッシングの先端部からその内部にヒューズリンクがその基端を前記ブッシングの外に露出させるようにして差し込まれてセットされ、前記ブッシングの外に露出している前記ヒューズリンクにはこれに交差する下向きで複数の爪孔が設けられているカットアウトが突設されており、
該カットアウトを電柱上で操作するカットアウト操作工具として、絶縁操作棒の先端にこれに交差する向きでヘッドフレームが支持され、前記ヘッドフレームの前部には前記変圧器から突設されている前記カットアウトの前記ブッシングの先端部でこれに交差する下向きで設けられている複数の前記爪孔に挿入するための複数本の結合爪が下向きに設けられ、前記ヘッドフレームにはこれをガイドとしてスライダーが摺動自在に支持され、前記スライダーには前記カットアウトの前記ヒューズリンクにこれに交差する下向きで設けられている複数の爪孔に挿入するための複数本の操作爪が下向きに設けられ、前記ヘッドフレームの下部には前記ヒューズリンクを支えるヒューズリンク支え体が前記結合爪と前記操作爪の挿入時に障害とならない位置に設けられ、前記スライダーには該スライダーを前進方向に移動させる前進操作ワイヤーと該スライダーを後退方向に移動させる後退操作ワイヤーとが連結され、前記前進操作ワイヤーは前記ヘッドフレームの前部の滑車を経て前記絶縁操作棒に沿って操作できるように添わされ、前記後退操作ワイヤーは前記ヘッドフレームの後部の滑車を経て前記絶縁操作棒に沿って操作できるように添わされている構造のものを用い、
前記電柱上で前記カットアウト操作工具の前記スライダーを前記ヘッドフレームの後部側に位置させ、前記ヘッドフレームの前記ヒューズリンク支え体で前記ヒューズリンクを支え、前記各操作爪を前記ヒューズリンクに設けられている複数の前記爪孔に挿入し、前記ヘッドフレームの前記各結合爪を前記ブッシングの前記各爪孔に挿入した状態にし、
かかる状態で前記前進操作ワイヤーを牽引して前記スライダーを前進させることにより前記各操作爪を介して前記ヒューズリンクを前記ブッシング内に挿入することを特徴とするカットアウト操作工具の操作方法。
【発明の詳細な説明】
【０００１】
【発明の属する技術分野】
本発明は、変圧器に突設されたブッシング内に差し込まれたカットアウトを電柱上等で操作するのに好適なカットアウト操作工具及びその操作方法に関するものである。
【０００２】
【従来の技術】
従来、図５に示すように、電柱１上に支持された変圧器２に隣接させて、カットアウト３、避雷器４、真空開閉器５を図示のように配置した構造であった。
【０００３】
しかしながら、このような構造では、電柱１上で装柱機材が輻輳し、美観及び装柱作業性が悪い問題点があった。
【０００４】
そこで、これらカットアウト３、避雷器４、真空開閉器５等の装柱機材を、図６に示すように、変圧器２内に組み込んだものが提案されている。この変圧器２では、その側面からカットアウト３を外部に突出させている。
【０００５】
このように装柱機材を組み込んだ図６に示す変圧器２によれば、電柱１上の外観がシンプルになり、また装柱作業性を向上させる利点がある。
【０００６】
【発明が解決しようとする課題】
しかしながら、このように装柱機材を組み込んだ図６に示す変圧器２では、変圧器側面のカットアウト３の操作は従来の絶縁操作棒ではできない問題点があった。
【０００７】
本発明の目的は、変圧器側面に突設されたカットアウトの操作を電柱上等で容易に安全に行うことができるカットアウト操作工具を提供することにある。
【０００８】
本発明の他の目的は、変圧器側面に突設されたカットアウトの操作を電柱上等で容易に安全に行うことができるカットアウト操作工具の操作方法を提供することにある。
【０００９】
【課題を解決するための手段】
本発明に係るカットアウト操作工具は、絶縁操作棒の先端にこれに交差する向きでヘッドフレームが支持され、ヘッドフレームの前部には変圧器から突設されているカットアウトのブッシングの先端部でこれに交差する下向きで設けられている複数の爪孔に挿入するための複数本の結合爪が下向きに設けられ、ヘッドフレームにはこれをガイドとしてスライダーが摺動自在に支持され、スライダーにはカットアウトのヒューズリンクにこれに交差する下向きで設けられている複数の爪孔に挿入するための複数本の操作爪が下向きに設けられ、ヘッドフレームの下部にはヒューズリンクを支えるヒューズリンク支え体が結合爪と操作爪の挿入時に障害とならない位置に設けられ、スライダーには該スライダーを前進方向に移動させる前進操作ワイヤーと該スライダーを後退方向に移動させる後退操作ワイヤーとが連結され、前進操作ワイヤーはヘッドフレームの前部の滑車を経て絶縁操作棒に沿って操作できるように添わされ、後退操作ワイヤーはヘッドフレームの後部の滑車を経て絶縁操作棒に沿って操作できるように添わされていることを特徴とする。
【００１０】
このようなカットアウト操作工具によれば、各結合爪をブッシングの各爪孔に挿入してヘッドフレームをブッシングに連結し、ヘッドフレームのスライダーに設けられている各操作爪をヒューズリンクの複数の爪孔に挿入した状態で、後退操作ワイヤーまたは前進操作ワイヤーを牽引してスライダーをヘッドフレーム上で後退方向または前進方向にスライドさせることにより、ヒューズリンクをブッシングから引き抜いたり、ヒューズリンクをブッシングに挿入する操作を容易に安全に行うことができる。この操作に際して、ヘッドフレームがその各結合爪でブッシングに連結されているので、ヘッドフレームの姿勢を安定させることができて、操作を容易に行うことができる。また、ヘッドフレームの下部にはヒューズリンク支え体が設けられているので、ブッシングから離れたヒューズリンクをヘッドフレームに支持させることができる。
【００１１】
本発明に係るカットアウト操作工具の操作方法では、変圧器には、その側面からブッシングが突設され、該ブッシングの先端部にはこれに交差する下向きに複数の爪孔が設けられ、ブッシングの先端部からその内部にヒューズリンクがその基端がブッシングの外に露出するようにして差し込まれてセットされ、ブッシングの外に露出するヒューズリンクにはこれに交差する下向きで複数の爪孔が設けられているカットアウトが突設されており、
電柱上で操作するカットアウト操作工具として、前述した構造のカットアウト操作工具を用い、
電柱上でカットアウト操作工具の各結合爪をブッシングの各爪孔に挿入してヘッドフレームをブッシングに連結し、
スライダーをヘッドフレームの前部側に位置させた状態で各操作爪をヒューズリンクに設けられている複数の爪孔に挿入し、
かかる状態で後退操作ワイヤーを牽引してスライダーを後退させることにより各操作爪を介してヒューズリンクをブッシングから引き抜いてヒューズリンク支え体で支えることを特徴とする。
【００１２】
また、本発明に係るカットアウト操作工具の操作方法では、変圧器には、その側面からブッシングが突設され、該ブッシングの先端部にはこれに交差する下向きに複数の爪孔が設けられ、ブッシングの先端部からその内部にヒューズリンクがその基端をブッシングの外に露出するようにして差し込まれてセットされ、ブッシングの外に露出するヒューズリンクにはこれに交差する下向きで複数の爪孔が設けられているカットアウトが突設されており、
電柱上で操作するカットアウト操作工具として、前述した構造のカットアウト操作工具を用い、
電柱上でカットアウト操作工具のスライダーをヘッドフレームの後部側に位置させ、ヘッドフレームのヒューズリンク支え体でヒューズリンクを支え、各操作爪をヒューズリンクに設けられている複数の爪孔に挿入し、ヘッドフレームの各結合爪をブッシングの各爪孔に挿入した状態にし、
かかる状態で前進操作ワイヤーを牽引してスライダーを前進させることにより各操作爪を介してヒューズリンクをブッシング内に挿入することを特徴とする。
【００１３】
このようなカットアウト操作工具の操作方法によれば、絶縁操作棒の先端にヘッドフレームを支持させ、このヘッドフレームの前部に複数本の結合爪を支持させ、ヘッドフレームには摺動自在にスライダーを支持させ、スライダーには複数本の操作爪を支持させ、ヘッドフレームの下部にはヒューズリンクを支えるヒューズリンク支え体を結合爪と操作爪の挿入時に障害とならない位置に設け、スライダーには該スライダーを前進方向に移動させる前進操作ワイヤーと該スライダーを後退方向に移動させる後退操作ワイヤーとを連結したカットアウト操作工具を用いるので、各結合爪をブッシングの各爪孔に挿入してヘッドフレームをブッシングに連結し、ヘッドフレームのスライダーに設けた各操作爪をヒューズリンクに設けられている複数の爪孔に挿入した状態で、後退操作ワイヤーまたは前進操作ワイヤーを牽引してスライダーをヘッドフレーム上で後退方向または前進方向にスライドさせることにより、ヒューズリンクをブッシングから引き抜いたり、ヒューズリンクをブッシングに挿入する操作を容易に安全に行うことができる。この操作に際して、ヘッドフレームがその各結合爪でブッシングに連結されているので、ヘッドフレームの姿勢を安定させることができて、操作を容易に行うことができる。
【００１４】
【発明の実施の形態】
図１及び図２は本発明に係るカットアウト操作工具の実施の形態の一例を示したもので、図１は本例のカットアウト操作工具の側面図、図２はこのカットアウト操作工具のヘッド部の斜視図である。図３（Ａ）（Ｂ）は本発明で操作を受けるカットアウトでブッシングにヒューズリンクを差し込む前の状態の斜視図及びブッシングにヒューズリンクを差し込んだ後の状態の斜視図である。
【００１５】
カットアウト３は、変圧器２の側面からブッシング６が突設され、該ブッシング６の先端部６ａにはこれに交差する下向きに複数（本例では、２個）の爪孔７が設けられ、ブッシング６の先端部６ａからその内部に図３（Ａ）に示すヒューズリンク９がその基端を図３（Ｂ）に示すように外部に露出させて差し込まれてセットされ、該ヒューズリンク９の基端にはこれに交差する下向きで複数（本例では、２個）の爪孔１０が設けられた構造になっている。ヒューズリンク９には、その長手方向の途中にヒューズ８が組み込まれている。ヒューズリンク９はその基端がブッシング６の先端部６ａに当たるまで挿入されるようになっている。
ブッシング６内にセットされたヒューズリンク９は、回り止めされるようになっている。図示しないがヒューズ８が切断されると、ヒューズリンク９の軸心の孔９ａから表示物が突出するようになっている。
【００１６】
本例のカットアウト操作工具１１は、ＦＲＰパイプ等よりなる絶縁操作棒１２を用いる。この絶縁操作棒１２は継手部１３で所要長さに接続されている。この絶縁操作棒１２の外周には、雨切りつば１４と安全つば１５とが上下に位置を違えて取付けられている。
【００１７】
絶縁操作棒１２の先端には、これに交差する向きでヘッドフレーム１６が支持されている。このヘッドフレーム１６は、ほぼ四角形の前フレーム１７と後フレーム１８とが所定間隔で相互に平行に配置され、これら前フレーム１７と後フレーム１８との四隅は４本のガイドアーム１９で相互に連結されている。このヘッドフレーム１６は、前部と後部が１対の支持フレーム２０で絶縁操作棒１２の先端に固定されている。前フレーム１７と後フレーム１８とは、その中心側の下部が下向きに開口されて開口部２１，２２となっている。
【００１８】
ヘッドフレーム１６の前部の前フレーム１７には、変圧器２から突設されているカットアウト３のブッシング６の先端部６ａでこれに交差する向きで設けられている複数（本例では、２個）の爪孔７に挿入するための複数本（本例では、２本）の結合爪２３が下向きに設けられている。ヘッドフレーム１６には、上側のガイドアーム１９をガイドとしてスライダー２４が摺動自在に支持されている。
このスライダー２４には、カットアウト３のヒューズリンク９にこれに交差する下向きで設けられている複数（本例では、２個）の爪孔１０に挿入するための複数本（本例では、２本）の操作爪２５が下向きに設けられている。ヘッドフレーム１６の下部には、ヒューズリンク９を支える板状のヒューズリンク支え体２６が結合爪２３と操作爪２５の挿入時に障害とならないように位置をヘッドフレーム１６の後部にずらして設けられている。
【００１９】
スライダー２４には、該スライダー２４を前進方向に移動させる前進操作ワイヤー２７と該スライダー２４を後退方向に移動させる後退操作ワイヤー２８とが連結されている。前進操作ワイヤー２７は、ヘッドフレーム１６の前部に支持された滑車２９を経て絶縁操作棒１２に沿って操作できるように添わされている。
後退操作ワイヤー２８は、ヘッドフレーム１６の後部に支持された滑車３０と１対の支持フレーム２０に支持された滑車３１とを経て絶縁操作棒１２に沿って操作できるように添わされている。本例では、前進操作ワイヤー２７と後退操作ワイヤー２８とは連結ワイヤー３２で連結され、連結ワイヤー３２は絶縁操作棒１２の滑車３３に掛けられている。
【００２０】
次に、このカットアウト操作工具１１を用いての操作状況を示す図４や前述した図１〜図３を参照して、このカットアウト操作工具１１を用いて電柱１上のステップ３４に乗った作業者３５がカットアウト３を操作する動作について説明する。
【００２１】
まず、カットアウト３のブッシング６からヒューズリンク９を引き抜く操作について説明する。
【００２２】
電柱１上のステップ３４に乗った作業者３５が、このカットアウト操作工具１１を持って、その前部のヘッドフレーム１６に支持されている各結合爪２３をブッシング６の先端部６ａの各爪孔７に挿入してヘッドフレーム１６をブッシング６に連結する。
【００２３】
スライダー２４をヘッドフレーム１６の前部側（図２で左側）にスライドさせた状態で、各操作爪２５をヒューズリンク９に設けられている複数の爪孔１０に挿入する。スライダー２４をヘッドフレーム１６の前部側に寄せる操作は、前進操作ワイヤー２７を引くことにより行うことができる。
【００２４】
かかる状態で、後退操作ワイヤー２８を牽引して、スライダー２４を後退させることにより各操作爪２５を介してヒューズリンク９をブッシング６から引き抜く。引き抜かれたヒューズリンク９は、ヘッドフレーム１６のヒューズリンク支え体２６で支えられている。
【００２５】
このような操作は、このカットアウト操作工具１１を用いることにより安全に行うことができる。
【００２６】
次に、カットアウト３のブッシング６にヒューズリンク９を挿入する操作について説明する。
【００２７】
電柱１上のステップ３４に乗った作業者３５が、このカットアウト操作工具１１を持って、スライダー２４をヘッドフレーム１６の後部側（図２で右側）に位置させ、ヒューズリンク支え体２６にヒューズリンク９を支持させ、各操作爪２５をヒューズリンク９に設けられている複数の爪孔１０に挿入し、ヘッドフレーム１６の各結合爪２３をブッシング６の各爪孔７に挿入した状態にする。
【００２８】
かかる状態で、前進操作ワイヤー２７を牽引してスライダー２４を前進させることにより各操作爪２５を介してヒューズリンク９をブッシング６内に挿入する。
【００２９】
このようなカットアウト操作工具１１の操作方法によれば、絶縁操作棒１２の先端にヘッドフレーム１６を支持させ、このヘッドフレーム１６の前部に複数本の結合爪２３を支持させ、ヘッドフレーム１６には摺動自在にスライダー２４を支持させ、スライダー２４には複数本の操作爪２５を支持させ、ヘッドフレーム１６の下部にはヒューズリンク９を支えるヒューズリンク支え体２６を結合爪２３と操作爪２５の挿入時に障害とならない位置に設け、スライダー２４には該スライダー２４を前進方向に移動させる前進操作ワイヤー２７と該スライダー２４を後退方向に移動させる後退操作ワイヤー２８とを連結しているので、各結合爪２３をブッシング６の各爪孔７に挿入してヘッドフレーム１６をブッシング６に連結し、ヘッドフレーム１６のスライダー２４に設けた各操作爪２５をヒューズリンク９に設けられている複数の爪孔１０に挿入した状態で、後退操作ワイヤー２８または前進操作ワイヤー２７を牽引してスライダー２４をヘッドフレーム１６上で後退方向または前進方向にスライドさせることにより、ヒューズリンク９をブッシング６から引き抜いたり、ヒューズリンク９をブッシング６に挿入する操作を容易に安全に行うことができる。この操作に際して、ヘッドフレーム１６がその各結合爪２３でブッシング６に連結されているので、ヘッドフレーム１６の姿勢を安定させることができて、操作を容易に行うことができる。
【００３０】
なお、結合爪２３や操作爪２５は２本に限らず、３本以上であってもよい。
【００３１】
【発明の効果】
本発明に係るカットアウト操作工具は、各結合爪をブッシングの各爪孔に挿入してヘッドフレームをブッシングに連結し、ヘッドフレームのスライダーに設けられている各操作爪をヒューズリンクに設けられている複数の爪孔に挿入した状態で、後退操作ワイヤーまたは前進操作ワイヤーを牽引してスライダーをヘッドフレーム上で後退方向または前進方向にスライドさせることにより、ヒューズリンクをブッシングから引き抜いたり、ヒューズリンクをブッシングに挿入する操作を容易に安全に行うことができる。この操作に際して、ヘッドフレームがその各結合爪でブッシングに連結されているので、ヘッドフレームの姿勢を安定させることができて、操作を容易に行うことができる。また、ヘッドフレームの下部にはヒューズリンク支え体が設けられているので、ブッシングから離れたヒューズリンクをヘッドフレームに支持させることができる。
【００３２】
また、本発明に係るカットアウト操作工具の操作方法では、絶縁操作棒の先端にヘッドフレームを支持させ、このヘッドフレームの前部に複数本の結合爪を支持させ、ヘッドフレームには摺動自在にスライダーを支持させ、スライダーには複数本の操作爪を支持させ、ヘッドフレームの下部にはヒューズリンクを支えるヒューズリンク支え体を結合爪と操作爪の挿入時に障害とならない位置に設け、スライダーには該スライダーを前進方向に移動させる前進操作ワイヤーと該スライダーを後退方向に移動させる後退操作ワイヤーとを連結したカットアウト操作工具を用いるので、各結合爪をブッシングの各爪孔に挿入してヘッドフレームをブッシングに連結し、ヘッドフレームのスライダーに設けた各操作爪をヒューズリンクに設けられた複数の爪孔に挿入した状態で、後退操作ワイヤーまたは前進操作ワイヤーを牽引してスライダーをヘッドフレーム上で後退方向または前進方向にスライドさせることにより、ヒューズリンクをブッシングから引き抜いたり、ヒューズリンクをブッシングに挿入する操作を容易に安全に行うことができる。この操作に際して、ヘッドフレームがその各結合爪でブッシングに連結されているので、ヘッドフレームの姿勢を安定させることができて、操作を容易に行うことができる。
【図面の簡単な説明】
【図１】本発明に係るカットアウト操作工具の実施の形態の一例を示した側面図である。
【図２】図１に示すカットアウト操作工具のヘッド部の斜視図である。
【図３】（Ａ）（Ｂ）は本発明で操作を受けるカットアウトでブッシングにヒューズリンクを差し込む前の状態の斜視図及びブッシングにヒューズリンクを差し込んだ後の状態の斜視図である。
【図４】本例のカットアウト操作工具を用いて電柱上でカットアウトの操作をしている状態を示す側面図である。
【図５】従来の変圧器等の電柱への装柱状態を示す斜視図である。
【図６】装柱機材を組み込んだ変圧器の装柱状態を示す側面図である。
【符号の説明】
１  電柱
２  変圧器
３  カットアウト
４  避雷器
５  真空開閉器
６  ブッシング
６ａ  先端部
７  爪孔
８  ヒューズ
９  ヒューズリンク
９ａ  孔
１０  爪孔
１１  カットアウト操作工具
１２  絶縁操作棒
１３  継手部
１４  雨切りつば
１５  安全つば
１６  ヘッドフレーム
１７  前フレーム
１８  後フレーム
１９  ガイドアーム
２０  支持フレーム
２１，２２  開口部
２３  結合爪
２４  スライダー
２５  操作爪
２６  ヒューズリンク支え体
２７  前進操作ワイヤー
２８  後退操作ワイヤー
２９，３０，３１  滑車
３２  連結ワイヤー
３３  滑車
３４  ステップ
３５  作業者
【図１】
0004548643.tif 000002
【図２】
0004548643.tif 000003
【図３】
0004548643.tif 000004
【図４】
0004548643.tif 000005
【図５】
0004548643.tif 000006
【図６】
0004548643.tif 000007